(57)【特許請求の範囲】
【請求項１】
ズーム撮影レンズに連動して駆動されるズームファインダ装置において、
光軸方向に移動可能に支持された一対の可動変倍レンズ；
上記ズーム撮影レンズに連動して回転駆動される駆動軸；
この駆動軸に相対回動可能に嵌められ、上記一対の可動変倍レンズの光軸方向の位置を変化させる一対の円筒カム面を有する円筒カム部材；及び
この駆動軸と円筒カム部材とを常時は相対回動を生じさせずに一体に回動させ、一定値以上の負荷が加わったときに相対回動を許す摩擦機構；を備え、
上記円筒カム部材に、上記一対の円筒カム面及び該一対の円筒カム面に当接する上記一対の可動変倍レンズ側のフォロア突起とは独立させて、該円筒カム部材の回動範囲を規制する単一のストッパ部材が設けられ、
円筒カム部材の近傍のファインダ枠体に、円筒カム部材の上記単一のストッパ部材に直接当接して円筒カム部材の両回動端を規制する一対の位置決め面が形成され、
上記摩擦機構は、円筒カム部材の上記単一のストッパ部材が上記位置決め面に当接していない状態で駆動軸がテレ方向に回転駆動されたときには該駆動軸と円筒カム部材を一体に回動させ、ズームファインダ光学系がテレ端位置に移動した後円筒カム部材の上記単一のストッパ部材が上記一対の位置決め面の一方に当接している状態では、駆動軸と円筒カム部材の相対回動を許す、
ことを特徴とするズームファインダ装置。
【請求項２】
請求項１記載のズームファインダ装置において、
摩擦機構は、駆動軸と円筒カム部材とにそれぞれ形成した、互いに当接する摩擦面と、この摩擦面どうしが接触する方向に駆動軸と円筒カム部材の少なくとも一方を移動付勢するばね部材とからなっているズームファインダ装置。
【発明の詳細な説明】
【０００１】
【技術分野】
本発明は、ズームコンパクトカメラのズームファインダ装置に関する。
【０００２】
【従来技術およびその問題点】
ズームコンパクトカメラは、ズーム撮影レンズに連動して視野を変化させるズームファインダ装置を有する。このズームファインダ装置は、光軸方向に移動可能に支持された可動変倍レンズを、ズーム撮影レンズに連動して駆動されるカム部材によって、予め定めた位置に移動させるという基本構成を有する。
【０００３】
このうち、カム部材として円筒カム部材を用いたズームファインダ装置は従来、ズーム撮影レンズと連動して回転駆動される駆動軸に直接円筒カムを形成していた。このため、ズーム撮影レンズとズームファインダの焦点距離（倍率）を連動（整合）させる際、円筒カム部材の回転位相を厳密に調整しなければならず、組立作業性が非常に悪いという問題があった。
【０００４】
【発明の目的】
本発明は、円筒カムを用いて駆動するズームファインダ装置において、組立時に位相合わせを行うことなく、ズーム撮影レンズ側との連動関係を容易に確保できるズームファインダ装置を得ることを目的とする。
【０００５】
【発明の概要】
本発明は、ズーム撮影レンズに連動して駆動されるズームファインダ装置において、光軸方向に移動可能に支持された一対の可動変倍レンズ；上記ズーム撮影レンズに連動して回転駆動される駆動軸；この駆動軸に相対回動可能に嵌められ、上記一対の可動変倍レンズの光軸方向の位置を変化させる一対の円筒カム面を有する円筒カム部材；及びこの駆動軸と円筒カム部材とを常時は相対回動を生じさせずに一体に回動させ、一定値以上の負荷が加わったときに相対回動を許す摩擦機構；を備え、上記円筒カム部材に、上記一対の円筒カム面及び該一対の円筒カム面に当接する上記一対の可動変倍レンズ側のフォロア突起とは独立させて、該円筒カム部材の回動範囲を規制する単一のストッパ部材が設けられ、円筒カム部材の近傍のファインダ枠体に、円筒カム部材の上記単一のストッパ部材に直接当接して円筒カム部材の両回動端を規制する一対の位置決め面が形成され、上記摩擦機構は、円筒カム部材の上記単一のストッパ部材が上記位置決め面に当接していない状態で駆動軸がテレ方向に回転駆動されたときには該駆動軸と円筒カム部材を一体に回動させ、ズームファインダ光学系がテレ端位置に移動した後円筒カム部材の上記単一のストッパ部材が上記一対の位置決め面の一方に当接している状態では、駆動軸と円筒カム部材の相対回動を許すことを特徴としている。
【０００６】
このズームファインダ装置によれば、円筒カム部材の位相を気にすることなく組立を行い、組立終了後、円筒カム部材を摩擦機構を介して駆動軸に対して相対回転させることにより、位相調整を行うことができるので、組立性が向上する。
【０００７】
このズームファインダ装置によれば、まず駆動軸を正転させてストッパ部材を一方の位置決め面に当接させ、次に逆転させてストッパ部材を他方の位置決め面に当接させるだけで、位相合わせが終了する。
【０００８】
摩擦機構は、例えば、駆動軸と円筒カム部材とにそれぞれ形成した、互いに当接する摩擦面と、この摩擦面どうしが接触する方向に駆動軸と円筒カム部材の少なくとも一方を移動付勢するばね部材とから構成することができる。
【０００９】
【発明の実施形態】
図１に示すズームコンパクトカメラ１０は、中央にズーム撮影レンズ１１を有し、その上部に、ズームファインダ装置１２を有する。正面左下の駆動モータ１３の回転はギヤ列１４を介してズーム撮影レンズ１１に伝達され、さらにズーム撮影レンズ１１の外周のギヤ１５と伝達ギヤ１６、１７を介してズームファインダ装置１２の駆動軸ギヤ１８に伝達される。
【００１０】
駆動軸ギヤ１８は、図２、図３に示すように、ズームファインダ装置１２の光軸と平行な方向に延びる駆動軸１９を同軸一体に有し、この駆動軸１９に、相対回動可能に円筒カム部材２０が嵌められている。円筒カム部材２０は、一対の円筒カム面２１、２２を有し、この円筒カム面２１、２２は、ズームファインダ装置１２の可動変倍レンズ２３、２４の支持枠に一体に設けられたフォロア突起２３Ｐおよび２４Ｐと係合する。可動変倍レンズ２３、２４は、ガイドロッド２９（図３）により光軸方向に直進案内されている。可動変倍レンズ２３と２４は、両者の間に張設した引張ばね２６により、そのフォロア突起２３Ｐおよび２４Ｐが、円筒カム面２１および２２に当接する方向に移動付勢されている。ズームファインダ装置１２は、この可動変倍レンズ２３、２４と図示しない固定レンズ群とで構成されており、可動変倍レンズ２３、２４が所定の軌跡で移動すると、その倍率が変化する。
【００１１】
駆動軸１９には、ロックワッシャ２５を介して摩擦板２６が固定されており、一方、円筒カム部材２０には、この摩擦板２６と係合する摩擦突起２７が一体に設けられている。この摩擦板２６と摩擦突起２７は、円筒カム部材２０を軸線方向に移動付勢する圧縮ばね２８により、常時摩擦接触している。圧縮ばね２８の力は、、駆動軸１９が回転駆動されたとき、常時は摩擦板２６と摩擦突起２７を介して円筒カム部材２０を駆動軸１９と一緒に回動させて円筒カム面２１、２２に従い可動変倍レンズ２３、２４を移動させ、一方、円筒カム部材２０の回転に機械的にブレーキがかかった場合には、摩擦突起２７を摩擦板２６に対して相対回動させ、円筒カム部材２０に対して駆動軸１９が相対回動（空転）するように設定されている。
【００１２】
円筒カム部材２０には、回動範囲を規制するストッパ部材３０が一体に突出形成されている。一方、円筒カム部材２０の近傍のファインダ枠体（固定部材）３１には、円筒カム部材２０の回動方向に応じてストッパ部材３０に択一して当接するテレ位置規制面３２Ｔと収納位置規制面３２Ｓを有している。このストッパ突起３０、テレ位置規制面３２Ｔ及び収納位置規制面３２Ｓは、次のようにその位置が定められている。
【００１３】
以上のズームファインダ装置の組立に当たっては、圧縮ばね２８により駆動軸１９と円筒カム部材２０を摩擦係合させた状態において、可動変倍レンズ２３のフォロア突起２３Ｐを円筒カム面２１に当接させ、可動変倍レンズ２４のフォロア突起２４Ｐを円筒カム面２２に当接させる。この円筒カム面２１、２２とフォロア突起２３Ｐと２４Ｐの係合は、図示しない引張ばねにより保証される。この仮組の際には、円筒カム部材２０の位相調整は不要であり、当然、可動変倍レンズ２３、２４を含むズームファインダ装置１２の倍率は、ズーム撮影レンズ１１の焦点距離と対応していない。
【００１４】
この仮組状態において、駆動モータ１３を例えばテレ方向に駆動すると、ギヤ列１４を介してズーム撮影レンズ１１が駆動されその焦点距離がテレ端状態になる。また、駆動モータ１３の回転により、伝達ギヤ１６、１７、駆動軸ギヤ１８を介して、駆動軸１９がテレ方向に回動され、ズーム撮影レンズ１１がテレ端状態になるのと前後して、駆動軸１９と一緒に回動する円筒カム部材２０のストッパ部材３０がファインダ枠体３１のテレ位置規制面３２Ｔと当接する。このときには、円筒カム部材２０の円筒カム面２１と２２により、可動変倍レンズ２３と２４の間隔はズーム撮影レンズ１１のテレ端の焦点距離に対応する倍率のときの間隔となる。しかし、ズーム撮影レンズ１１がテレ端に達するタイミングと、ストッパ部材３０がテレ位置規制面３２Ｔに当接するタイミングは異なるのが普通であり、可動変倍レンズ２３と２４が他の固定レンズとの正しい相対位置にある保証はない。ストッパ部材３０がテレ位置規制面３２Ｔに当接した後は、駆動軸１９は円筒カム部材２０に対して空転する。
【００１５】
このようにして、ズーム撮影レンズ１１がテレ端に達し、ストッパ部材３０がテレ位置規制面３２Ｔに当接したのを確認したら、今度は駆動モータ１３を逆転させ、ズーム撮影レンズ１１を収納する方向に回動させる。すると、ギヤ列１４を介してズーム撮影レンズ１１が収納状態になる。ズーム撮影レンズ１１が収納状態になるのと前後して、伝達ギヤ１６、１７、駆動軸ギヤ１８を介して、駆動軸１９と一緒に回動する円筒カム部材２０のストッパ部材３０がファインダ枠体３１の収納位置規制面３２Ｓと当接する。このときには、可動変倍レンズ２３、２４は、その間隔だけでなく、他の固定レンズとの相対位置も正しい関係となり、ズーム撮影レンズ１１とズームファインダ装置１２との連動調整が終了する。
【００１６】
以上の実施例では、ズーム撮影レンズ１１がテレ端と収納端を有するとして説明したが、収納端の代わりにワイド端としても、全く同様の調整ができる。即ち、ズームレンズが収納位置を有しない場合（ワイド端が収納端である場合）にも同様に調整が可能である。
【００１７】
【発明の効果】
本発明によれば、円筒カムを用いて駆動するズームファインダ装置において、組立時に位相合わせを行うことなく、ズーム撮影レンズ側との連動関係を簡単に確保することができる。
【図面の簡単な説明】
【図１】本発明によるズームファインダ装置を有するズームコンパクトカメラの正面図である。
【図２】駆動軸、円筒カム部材、及び摩擦機構の一例を示す、ズームファインダ装置の光軸に沿う要部の側面断面図である。
【図３】図２を右側から見た正面図である。
【図４】円筒カム部材のストッパ突起と位置決め面の関係の一例を示す斜視図である。
【符号の説明】
１０  ズームコンパクトカメラ
１１  ズーム撮影レンズ
１２  ズームファインダ装置
１８  駆動軸ギヤ
１９  駆動軸
２０  円筒カム部材
２１  ２２  円筒カム面
２３  ２４  可動変倍レンズ
２６  摩擦板
２７  摩擦突起
２８  圧縮ばね
３０  ストッパ部材
３１  ファインダ枠体（固定部材）
３２Ｔ  テレ位置規制面
３２Ｓ  収納位置規制面
【図１】
0004605831.tif 000002
【図２】
0004605831.tif 000003
【図３】
0004605831.tif 000004
【図４】
0004605831.tif 000005